(57)【要約】【課題】通信ネットワークを介したプリントの再注文を顧客が簡単に行なえる注文システムと、そのような注文システムを構成するプリントシステムおよびプリント注文端末を提供する。【解決手段】データベース１１１に保管されている画像データを特定する特定情報、およびその画像データがデータベース１１１に保管されている保管期限を表わす期限情報が図形で表現された図形コードを作成するコード作成部１１４と、コード作成部１１４によって作成された図形コードを、図形コードに対応した画像データが表わす画像がプリントされた記録媒体の裏面にプリントするプリント部１１６とを備えたプリントシステム１００、および図形コードを読み取る読取部を有する携帯電話２００で注文システム１０を構成した。【選択図】        図１
2005276037.tif 000002
【特許請求の範囲】
【請求項１】
画像を表わす画像データに従って該画像を記録媒体にプリントする画像プリント部と、
前記画像プリント部によってプリントされる画像の画像データを所定の保管期限まで保管する画像データ保管部と、
前記画像データ保管部に保管されている画像データを特定する特定情報、およびその画像データが前記画像データ保管部に保管されている保管期限を表わす期限情報が図形で表現された図形コードを作成する図形コード作成部と、
前記図形コード作成部によって作成された図形コードを、該図形コードに対応した画像データが表わす画像がプリントされた記録媒体の裏面にプリントするコードプリント部と、
前記コードプリント部によってプリントされた図形コードから得られた特定情報を、通信ネットワークを介して受け取る注文受取部と、
前記注文受取部によって受け取られた特定情報が特定する画像データを前記画像データ保管部から入手して前記画像プリント部へと送る注文実行部とを備えたプリントシステム、および、
前記図形コードを読み取る読取部と、
前記読取部によって読み取られた図形コードから前記特定情報と前記期限情報とを得る情報解読部と、
前記情報解読部によって得られた期限情報が表わす保管期限内である場合に、該情報解読部によって得られた特定情報を前記通信ネットワークを介して前記プリントシステムに送信する送信部とを備えたプリント注文端末を備えたことを特徴とする注文システム。
【請求項２】
前記プリントシステムが、
プリントサイズ、プリント枚数、写真プリントの受取場所、プリント時に画像に施される画像処理、プリント代金に関する優遇情報、およびプリントされた画像が保存された可班媒体という複数種類の注文情報のうちの少なくとも１種類の注文情報が１つの図形で表現された注文コードを作成する注文コード作成部と、
前記注文コード作成部によって作成された注文コードを所定の記録媒体にプリントする注文コードプリント部とを備えるものであって、
前記プリント注文端末の読取部が、前記注文コードも読み取るものであって、
前記プリント注文端末の情報解読部が、前記読取部によって読み取られた注文コードから前記注文情報を得るものであって、
前記プリント注文端末の送信部が、前記情報解読部によって得られた注文情報も送信するものであることを特徴とする請求項１記載の注文システム。
【請求項３】
前記注文コードプリント部が、前記注文コードが表わす注文情報の内容を示すコメントを該注文コードに対応する位置にプリントするものであることを特徴とする請求項２記載の注文システム。
【請求項４】
前記注文コード作成部が、同一種類の注文情報について、互いに異なる注文内容の注文情報それぞれを表わす複数種類の注文コードを作成するものであって、
前記注文コードプリント部が、前記注文コード作成部によって作成された複数種類の注文コードを並べてプリントするものであることを特徴とする請求項２記載の注文システム。
【請求項５】
前記注文コードプリント部が、前記注文コードを、前記画像がプリントされた記録媒体の裏面にプリントするものであることを特徴とする請求項２記載の注文システム。
【請求項６】
前記注文コードプリント部が、前記注文コードを、前記図形コードとは異なる色でプリントするものであることを特徴とする請求項６記載の注文システム。
【請求項７】
画像を表わす画像データに従って該画像を記録媒体にプリントする画像プリント部と、
前記画像プリント部によってプリントされる画像の画像データを所定の保管期限まで保管する画像データ保管部と、
前記画像データ保管部に保管されている画像データを特定する特定情報、およびその画像データが前記画像データ保管部に保管されている保管期限を表わす期限情報が図形で表現された図形コードを作成する図形コード作成部と、
前記図形コード作成部によって作成された図形コードを、該図形コードに対応した画像データが表わす画像がプリントされた記録媒体の裏面にプリントするコードプリント部と、
前記コードプリント部によってプリントされた図形コードから得られた特定情報を、通信ネットワークを介して受け取る注文受取部と、
前記注文受取部によって受け取られた特定情報が特定する画像データを前記画像データ保管部から入手して前記画像プリント部へと送る注文実行部とを備えたことを特徴とするプリントシステム。
【請求項８】
画像を表わす画像データを所定の保管期限まで保管する所定の画像データ保管部に保管されている画像データを特定する特定情報、およびその画像データが前記画像データ保管部に保管されている保管期限を表わす期限情報が図形で表現された図形コードを読み取る読取部と、
前記読取部によって読み取られた図形コードから前記特定情報と前記期限情報とを得る情報解読部と、
前記情報解読部によって得られた期限情報が表わす保管期限内である場合に、該情報解読部によって得られた特定情報を前記通信ネットワークを介して前記プリントシステムに送信する送信部とを備えたことを特徴とするプリント注文端末。
【発明の詳細な説明】
【技術分野】
【０００１】
本発明は、画像を記録媒体にプリントするという注文を発するプリント注文端末とその注文を受け付けてその注文を実行するプリントシステムとからなる注文システムと、そのような注文システムを構成するプリントシステムおよびプリント注文端末に関する。
【背景技術】
【０００２】
近年、画像に対するプリント等といったサービスを行なう写真店では、プリントが１度注文された画像に対する焼増し等といった再注文を、インターネット等といった通信ネットワークを介して顧客から受け付けるというサービスが行なわれている。このようなサービスによれば、顧客は再注文のためにわざわざ写真店まで足を運ばなくても良く便利である反面、例えば、顧客は、通信ネットワークに接続するためのコンピュータや、あるいは近年普及している、通信ネットワークに接続可能な携帯電話等といった装置を用いて、所望の画像を特定するための細かな入力操作を行なわなければならない等といった使用上の煩雑さが生じてしまっている。
【０００３】
ところで、複数の縦線の並びで様々な種類の情報を表現するバーコードや、黒白のセルの二次元の配列で様々な種類の情報を表現するＱＲコード（登録商標）等が知られており、このような図形で様々な種類の情報を表現する図形コードを利用することにより、様々な作業の簡略化を図るという技術が従来から提案されている。例えば、通信販売の分野において、商品の注文に関する情報を表わす図形コードが記載されたカタログ等を顧客に配布しておくことによって、販売業者に電話をして商品の注文に関する情報を口頭で伝える等という煩雑な作業を、図形コードを読み取る機能が付与された携帯電話による図形コードの読取りと、その読取りで得られた情報の送信という簡単な操作に置き換えるという技術が提案されている（例えば、特許文献１参照。）。また、印刷の分野において、本番の印刷の前に行なわれる予備印刷の際に、その予備印刷で得られる印刷条件を表わす図形コードを作成しておくことにより、その予備印刷の後に行なわれる本番の印刷における印刷条件の設定という煩雑な作業を、デコーダによる図形コードの読取りという簡単な操作ですませるという技術（例えば、特許文献２参照。）や、写真店でのプリントに関わる分野において、店頭でプリントの注文を受け付ける際に、その注文における注文条件を表わす図形コードを作成しておくことにより、店内でプリントを行なう装置に対する注文条件の設定という煩雑な作業を、デコーダによる図形コードの読取りという簡単な操作ですませるという技術も提案されている（例えば、特許文献３参照。）。
【特許文献１】特開２００２−１１４３３４号公報（第３−７頁、図１）
【特許文献２】ＵＳ２００１／０００８４４１Ａ１号公報（第１−２頁、図１）
【特許文献３】特開２００２−２８７２７０号公報（第６−１８頁、図１０）
【発明の開示】
【発明が解決しようとする課題】
【０００４】
上述したような図形コードを利用することにより、インターネット等といった通信ネットワークを介してプリントの再注文を行なう際に顧客に要求される、コンピュータや携帯電話等といった装置を用いた細かな入力操作の簡略化が可能となるように思われる。しかしながら、そのような図形コードを利用した、実現性のある注文システムの提案は存在せず、特に、実現性のある注文システムが得られるような、図形コードの具体的な利用形態については不明である。
【０００５】
本発明は、上記事情に鑑み、通信ネットワークを介したプリントの再注文を顧客が簡単に行なえる、実現性のある注文システムと、そのような注文システムを構成するプリントシステムおよびプリント注文端末を提供することを目的とする。
【課題を解決するための手段】
【０００６】
上記目的を達成する本発明の注文システムは、画像を表わす画像データに従ってその画像を記録媒体にプリントする画像プリント部と、
上記画像プリント部によってプリントされる画像の画像データを所定の保管期限まで保管する画像データ保管部と、
上記画像データ保管部に保管されている画像データを特定する特定情報、およびその画像データが上記画像データ保管部に保管されている保管期限を表わす期限情報が図形で表現された図形コードを作成する図形コード作成部と、
上記図形コード作成部によって作成された図形コードを、その図形コードに対応した画像データが表わす画像がプリントされた記録媒体の裏面にプリントするコードプリント部と、
上記コードプリント部によってプリントされた図形コードから得られた特定情報を、通信ネットワークを介して受け取る注文受取部と、
上記注文受取部によって受け取られた特定情報が特定する画像データを上記画像データ保管部から入手して上記画像プリント部へと送る注文実行部とを備えたプリントシステム、および、
上記図形コードを読み取る読取部と、
上記読取部によって読み取られた図形コードから上記特定情報と上記期限情報とを得る情報解読部と、
上記情報解読部によって得られた期限情報が表わす保管期限内である場合に、その情報解読部によって得られた特定情報を上記通信ネットワークを介して上記プリントシステムに送信する送信部とを備えたプリント注文端末を備えたことを特徴とする。
【０００７】
本発明の注文システムによれば、顧客は、プリントを注文すると、表面に画像がプリントされ裏面にその画像を特定する特定情報を含む情報を表わす図形コードがプリントされた写真を得る。再注文の際には、顧客は、過去の注文で得た、このような写真の中から、再注文を希望する画像がプリントされている写真を選び、その写真の裏面にプリントされている図形コードを上記プリント注文端末の読取部に読み取らせる。これにより、顧客は、再注文を希望する画像をプリントシステムに容易に伝えることができる。また、上記図形コードが写真の裏面にプリントされているので、顧客は再注文を希望する画像を特定するための図形コードを一目で認識することができる。つまり、本発明によれば、上記のような図形コードの読取りという簡単な操作によって顧客がプリントの再注文を行なうことができる、実現性のある注文システムを提供することができる。
【０００８】
ここで、本発明の注文システムにおいて、
「上記プリントシステムが、
プリントサイズ、プリント枚数、上記プリント部によってプリントされて作成された写真をプリントの注文者が受け取る際の受取場所、上記画像データに施される画像処理、プリントの代金支払に関する優遇情報、および所定の外部記憶媒体への記憶指示という複数種類の注文情報のうち、少なくとも１種類の注文情報が１つの図形で表現された、少なくとも１種類の注文コードを作成する注文コード作成部と、
上記注文コード作成部によって作成された注文コードを所定の記録媒体にプリントする注文コードプリント部とを備えるものであって、
上記プリント注文端末の読取部が、上記注文コードも読み取るものであって、
上記プリント注文端末の情報解読部が、上記読取部によって読み取られた注文コードから上記注文情報を得るものであって、
上記プリント注文端末の送信部が、上記情報解読部によって得られた注文情報を送信するものである」という形態は好ましい形態である。
【０００９】
この好ましい形態の注文システムによれば、例えば、再注文の際に有用な、上記のような複数種類の注文コードの中から所望の注文コードを読み取るという簡単な操作で、顧客が注文内容の詳細な指定を行なう等といった運用を行なうことができる。また、前述のように、上記の図形コードは、再注文を希望する画像を特定するための図形コードを顧客が一目で認識できるように、写真の裏面にプリントされる必要があるが、上記注文コードは個々の画像と直接には関連していないため、写真とは別紙にプリントされても良い。このような注文コードがプリントされた別紙は、写真とともに顧客に渡されても良いし、あるいは、顧客が随時に入手できるように例えば写真店等に常備されても良い。
【００１０】
また、このような好ましい形態の注文システムにおいて、「上記注文コードプリント部が、上記注文コードが表わす注文情報の内容を示すコメントをその注文コードに対応する位置にプリントするものである」という形態はさらに好ましい。
【００１１】
上記注文コードは、所望のコードが顧客によって選択されて利用されるものである。上記のようなさらに好ましい形態の注文システムによれば、顧客は、各注文コードが表わす注文情報の内容を上記コメントを読むことによって容易に知ることができ、再注文の際に、所望の注文コードを簡単に選択することができる。
【００１２】
また、上記の好ましい形態の注文システムにおいて、「同一種類の注文情報について、互いに異なる注文内容の注文情報それぞれを表わす複数種類の注文コードを作成するものであって、
上記注文コードプリント部が、上記注文コード作成部によって作成された複数種類の注文コードを並べてプリントするものである」という形態もさらに好ましい形態である。
【００１３】
ここで、上記の互いに異なる注文内容とは、例えば、互いに異なるプリントサイズ、互いに異なるプリント枚数、互いに異なる受取場所、互いに異なる画像処理、互いに異なる優遇情報、および互いに異なる可搬媒体等といった注文内容を指す。上記のさらに好ましい形態の注文システムによれば、顧客は、これらのような詳細な注文内容を上記プリントシステムに指定することができる。また、上記のさらに好ましい形態の注文システムでは、上記複数種類の注文コードが並べてプリントされるので、顧客は、これらの注文コードを容易に認識することができる。
【００１４】
また、上記の好ましい形態の注文システムにおいて、「上記注文コードプリント部が、上記注文コードを、上記画像がプリントされた記録媒体の裏面にプリントするものである」という形態はさらに好ましい形態である。
【００１５】
この好ましい形態の注文システムによれば、顧客は、過去に注文して得た写真の裏面から、上記特定情報や上記期限情報だけでなく上記注文情報も得ることができる。
【００１６】
また、このさらに好ましい形態の注文システムにおいて、「上記注文コードプリント部が、上記注文コードを、上記図形コードとは異なる色でプリントするものである」という形態は好ましい。
【００１７】
このような形態の注文システムによれば、顧客は、写真の裏面にプリントされた上記注文コードを、上記図形コードと視覚的に容易に区別することができる。
【００１８】
また、上記目的を達成する本発明のプリントシステムは、
画像を表わす画像データに従ってその画像を記録媒体にプリントする画像プリント部と、
上記画像プリント部によってプリントされる画像の画像データを所定の保管期限まで保管する画像データ保管部と、
上記画像データ保管部に保管されている画像データを特定する特定情報、およびその画像データが上記画像データ保管部に保管されている保管期限を表わす期限情報が図形で表現された図形コードを作成する図形コード作成部と、
上記図形コード作成部によって作成された図形コードを、その図形コードに対応した画像データが表わす画像がプリントされた記録媒体の裏面にプリントするコードプリント部と、
上記コードプリント部によってプリントされた図形コードから得られた特定情報を、通信ネットワークを介して受け取る注文受取部と、
上記注文受取部によって受け取られた特定情報が特定する画像データを上記画像データ保管部から入手して上記画像プリント部へと送る注文実行部とを備えたことを特徴とする。
【００１９】
また、上記目的を達成する本発明のプリント注文端末は、
画像を表わす画像データを所定の保管期限まで保管する所定の画像データ保管部に保管されている画像データを特定する特定情報、およびその画像データが上記画像データ保管部に保管されている保管期限を表わす期限情報が図形で表現された図形コードを読み取る読取部と、
上記読取部によって読み取られた図形コードから上記特定情報と上記期限情報とを得る情報解読部と、
上記情報解読部によって得られた期限情報が表わす保管期限内である場合に、その情報解読部によって得られた特定情報を上記通信ネットワークを介して上記プリントシステムに送信する送信部とを備えたことを特徴とする。
【００２０】
このような本発明のプリントシステムと、本発明のプリント注文端末とを利用することによって、上述した注文システムを容易に構成することができる。
【００２１】
なお、本発明のプリントシステムおよび本発明のプリント注文端末については、ここではその基本形態のみを示すのにとどめるが、これは単に重複を避けるためであり、本発明のプリントシステムおよび本発明のプリント注文端末には、上記の基本形態のみではなく、上述した注文システムの各形態に対応する各種の形態が含まれる。
【発明の効果】
【００２２】
以上、説明したように、本発明によれば、通信ネットワークを介したプリントの再注文を顧客が簡単に行なえる、実現性のある注文システムと、そのような注文システムを構成するプリントシステムおよびプリント注文端末を提供することができる。
【発明を実施するための最良の形態】
【００２３】
以下図面を参照して本発明の実施の形態を説明する。
【００２４】
図１は、本発明の注文システムの一実施形態を示す図である。
【００２５】
ここで、以下に説明する注文システムは、本来、複数の携帯電話と、それら携帯電話からの注文を受け付けるプリントシステムからなるが、図１には、図を簡便にするため、携帯電話は１つだけが代表的に示されている。
【００２６】
図１には、プリントシステム１００および携帯電話２００と、携帯電話２００からプリントシステム１００へ情報を伝達する、通信会社３００および通信ネットワーク４００とが示されており、これらプリントシステム１００、携帯電話２００、通信会社３００、および通信ネットワーク４００が注文システム１０を構成している。ここで、プリントシステム１００および携帯電話２００が、それぞれ本発明にいうプリントシステムおよびプリント注文端末の各一例に相当する。
【００２７】
図１示すプリントシステム１００は、複数の写真店それぞれに設置されている、互いに同等な構成を有する複数のラボシステム１１０，１２０，１３０，…と注文受取部１４０と注文実行部１５０とを有している。ここで、図１では、複数のラボシステム１１０，１２０，１３０，…のうち、Ａ店に設置されているラボシステム１１０を代表として、ラボシステムの構成が示されている。ラボシステム１１０は、データベース１１１と画像入手部１１２と画像処理部１１３とコード作成部１１４とコメント作成部１１５とプリント部１１６とＣＤ−ＲＯＭドライバ１１７とを有している。ここで、データベース１１１、注文受取部１４０、および注文実行部１５０が、それぞれ本発明にいう画像データ保管部、注文受取部、および注文実行部の各一例に相当し、コード作成部１１４は、本発明にいう図形コード作成部と注文コード作成部とを兼ねた一例に相当し、プリント部１１６は、本発明にいう画像プリント部とコードプリント部と注文コードプリント部とを兼ねた一例に相当する。
【００２８】
以下では、注文システム１０の各構成要素について説明する。
【００２９】
図１に示す携帯電話２００は、通信機能に加えて、画像を表わす画像データを撮影によって得るデジタルスチルカメラの機能も備えている。この携帯電話２００では、まず、注文者から、プリント注文の対象となる画像を示す情報が入力される。即ち、その画像が、初めてプリント注文される画像である場合には、その画像を表わす画像データが入力され、その画像が、過去にプリント注文された画像である場合には、複数の写真店のラボシステム１１０，１２０，１３０，…のうちのいずれかのラボシステムにおけるデータベースに保管されている、その画像を表わす画像データを特定する特定情報が入力される。ここで、この特定情報は、プリント対象の画像を表わす画像データが保管されているデータベースを示す保管場所情報とその画像データのファイル名とを有する。また、上記の画像を表わす画像データは、この携帯電話２００を用いて取得された画像データであっても良く、あるいは、例えば図示しないデジタルスチルカメラ等といった、携帯電話２００とは別の装置を用いて取得された後、所定の方法で携帯電話２００内に格納された画像データであっても良い。
【００３０】
さらに、この携帯電話２００では、プリントのサイズや枚数、プリント写真の受取場所、および所望の画像処理等といった注文に関わる情報を示す注文情報や、注文者を特定するための注文者情報等といった諸情報も注文者から入力される。ここで、本実施形態の注文システム１０では、上記のプリント写真の受取場所として、写真店だけでなく、写真店と提携しているコンビニエンスストアや、近年普及しつつある、駅に設置されている写真受取用のロッカー等を指定することができる。
【００３１】
そして、この携帯電話２００から、これら諸情報が信号化されたプリント依頼データが、通信会社３００及び通信ネットワーク４００を介してプリントシステム１００に送信される。
【００３２】
このプリント依頼データは、プリントシステム１００の注文受取部１４０によって受信される。この注文受取部１４０では、複数の写真店それぞれに向けてのプリント依頼データが受け取られ、注文実行部１５０では、注文受取部１４０で受け取られた複数のプリント依頼データが、次のように仕分けされ、各写真のプリントを担当する写真店のラボシステムに向けて送信される。まず、上記のプリント依頼データに、プリント注文の対象となる画像を表わす画像データが含まれており、かつこのプリント依頼データに含まれている上記の注文情報が示す受取場所が写真店であった場合、注文実行部１５０はその写真店にプリント依頼データを送信する。また、上記のプリント依頼データに画像データが含まれており、かつ上記の受取場所が例えば上述した写真受取用のロッカー等といった写真店以外の場所であった場合、注文実行部１５０はその受取場所の最寄の写真店にプリント依頼データを送信する。また、上記のプリント依頼データに上述の特定情報が含まれており、かつ上記の受取場所が写真店であった場合、注文実行部１５０はその写真店にプリント依頼データを送信する。また、上記のプリント依頼データに上述の特定情報が含まれており、かつ上記の受取場所が写真店以外の場所であった場合、注文実行部１５０は上記の特定情報が示す上記のデータベースを備える写真店にプリント依頼データを送信する。
【００３３】
ラボシステム１１０では、注文実行部１５０から送られてきたプリント依頼データが、データベース１１１に保管される。ここで、プリント依頼データに含まれる、画像データあるいは特定情報、注文情報、および上記の注文者情報は、それぞれデータベース１１１内の対応する領域に格納される。ここで、図１に示す注文システム１０では、画像データは、注文受取部１４０によってプリント依頼データが受け取られた時点から２週間後の保管期限までの間、データベース１１１内に保管される。
【００３４】
ラボシステム１１０の画像データ入手部１１２では、今回の注文に対応する画像データが上記のプリント依頼データに含まれている場合には、プリント依頼データからその画像データを入手する。また、上記のプリント依頼データに、複数の写真店のラボシステム１１０，１２０，１３０，…のうちのいずれかのラボシステムにおけるデータベースに保管されている画像データを特定する特定情報が含まれている場合には、その特定情報が示す画像データを、その特定情報が示すデータベースにアクセスして入手する。画像データ入手部１１２は、このように入手した画像データを画像処理部１１３に送る。
【００３５】
ラボシステム１１０の画像処理部１１３では、画像データ入手部１１２から送られてきた画像データに対して、上記のプリント依頼データに含まれる注文情報が示す画像処理が施される。そして、処理済の画像データがプリント部１１６および又はＣＤ−ＲＯＭドライバ１１７に送られる。
【００３６】
ラボシステム１１０のコード作成部１１４では、今回の注文に対応する画像データを特定する特定情報、およびその画像データが保管される保管期限を表わす期限情報が図形で表現された図形コードが作成される。ここで、本実施形態では、本発明にいう図形コードおよび注文コードの一例として、ＪＩＳＸ０５１０に基本仕様が規定されているＱＲコード（登録商標）が用いられる。
【００３７】
図２は、図１に示すコード作成部によって作成されるＱＲコード（登録商標）の一例を示す図である。
【００３８】
図２に示すように、このＱＲコード（登録商標）１１４ａは、黒白のセルをマトリクス状に配置して構成したものであり、コード化されたデータとともに、３ヶ所のコーナーに配置された切出しシンボル１１４ａ＿１を含んでいる。このような、ＱＲコード（登録商標）１１４ａによれば、例えばバーコード等よりも多くの情報をコンパクトに表現することができる。ここで、以下の説明では、このＱＲコード（登録商標）を単にコードと呼ぶ。
【００３９】
図１に戻って、説明を続ける。
【００４０】
ラボシステム１１０のコード作成部１１４では、今回プリントが注文された画像について、焼増し等といった再注文に対する代金支払に関して、例えば所定サイズの焼増しを１枚に限り無料とする等といった優遇情報がある場合にはその優遇情報を表わすコードが作成される。ここで、以下では、上記の特定情報および期限情報を表わすコードを特定コード、上記の優遇情報を表わすコードをサービスコードと呼ぶ。
【００４１】
また、このコード作成部１１４では、今回の注文とは別に、オペレータからの指示があった場合には、プリントサイズおよびプリント枚数、写真の受取場所、プリント時に画像に施される画像処理、およびプリントされた画像が保存されたＣＤ−ＲＯＭの注文指示という複数種類の注文情報それぞれを表わす複数種類のコードが作成される。ここで、本実施形態では、上記のＣＤ−ＲＯＭが本発明にいう可搬媒体の一例に相当する。以下では、プリントサイズおよびプリント枚数、受取場所、画像処理、およびＣＤ−ＲＯＭの注文指示という各注文情報を、それぞれプリントサイズ＆枚数情報、受取場所情報、画像処理情報、およびＣＤ−ＲＯＭ注文指示情報と呼び、各情報を表わす各コードを、それぞれプリントサイズ＆枚数コード、受取場所コード、画像処理コード、およびＣＤ−ＲＯＭ注文指示コードと呼ぶ。
【００４２】
このコード作成部１１４では、さらに、プリントサイズ＆枚数コードについては、プリントサイズとプリント枚数のうちの少なくとも一方が互いに異なる複数種類が作成され、受取場所コードについては受取場所が互いに異なる複数種類が作成され、また画像処理コードについては画像処理が互いに異なる複数種類が作成される。
【００４３】
ラボシステム１１０のコメント作成部１１５では、コード作成部１１４で作成された上記の特定コードについて、その特定コードが、特定情報および期限情報を表わすものである旨を示すコメントが作成される。また、コード作成部１１４で上記のサービスコードが作成された場合には、このコメント作成部１１５では、そのサービスコードが優遇情報を表わすものである旨を、その優遇情報が示すサービスの内容も含めて示すコメントも作成される。また、コード作成部１１４で、上記のプリントサイズ＆枚数コード、受取場所コード、画像処理コード、およびＣＤ−ＲＯＭ注文指示コードが作成された場合には、各コードが表わすプリントサイズ＆枚数情報、受取場所情報、画像処理情報、およびＣＤ−ＲＯＭ注文指示情報の内容を示すコメントが作成される。
【００４４】
ここで、これらコード作成部１１４で作成される複数種類のコードは、詳細は後述するように、複数の写真店のラボシステム１１０，１２０，１３０，…のうちのいずれかにおけるデータベースに保管されている画像データが表わす画像について、焼増し等といった再注文がなされるときに携帯電話２００において利用されるものである。そして、これら複数種類のコードのうち、任意の画像についての再注文に利用可能なコードである、上記のプリントサイズ＆枚数コード、受取場所コード、画像処理コード、およびＣＤ−ＲＯＭ注文指示コードについては、１度作成しておけば繰返し利用することができる。このため、これらのコードは、各コードに対応するコメントとともにデータベース１１１に格納され、必要に応じて利用される。一方、今回の注文対象の画像に特有の情報である、上記特定コードおよびサービスコードについては、その画像について再注文がなされるときにのみ利用されるものである。これらのコードについては、各コードに対応するコメントとともにプリント部１１６に送られる。
【００４５】
本実施形態における、ラボシステム１１０のプリント部１１６は、両面プリントの機能を有するものである。このプリント部１１６では、画像処理部１１３によって画像処理が施された処理済の画像データが表わす画像が記録媒体の表面にプリントされる。さらに、コード作成部１１４で作成された、上記の特定コードおよびサービスコードと、コメント作成部１１５で作成された各コメントとが上記の記録媒体の裏面にプリントされる。このとき、各コメントは、対応するコードに隣接するようにプリントされる。これにより、表面に画像、裏面にその画像に対する再注文時に利用されるコードとコメントがプリントされた写真１１６ａが作成される。また、本実施形態では、上記の特定コードと、サービスコードとは、互いに異なる色でプリントされる。
【００４６】
また、このプリント部１１６では、上記のプリントサイズ＆枚数コード、受取場所コード、画像処理コード、およびＣＤ−ＲＯＭ注文指示コードと、各コメントとが、データベース１１１から読み出されて、画像が記録された記録媒体とは別の記録媒体に並べられてプリントされる。このとき、各コメントは、対応するコードに隣接するようにプリントされる。これにより、上記のプリントサイズ＆枚数コード、受取場所コード、画像処理コード、およびＣＤ−ＲＯＭ注文指示コードと各コメントとがプリントされた再注文票１１６ｂが作成される。
【００４７】
ラボシステム１１０のＣＤ−ＲＯＭドライバ１１７では、注文者からの指示があった場合には、画像を表わす画像データがＣＤ−ＲＯＭ１１７ａに記録される。
【００４８】
以上、説明したように、ラボシステム１１０では、表面に画像、裏面にその画像に対する再注文時に利用されるコードとコメントがプリントされた写真１１６ａと、任意の画像についての再注文時に利用される上記の再注文票１１６ｂが作成される。そして、写真１１６ａと再注文票１１６ｂとが、注文者によって指示された受取場所（例えばＡ店）でその注文者に渡される。
【００４９】
図３は、図１に示すプリント部で作成される写真の裏面の一例を模式的に示す図であり、図４は、図１に示すプリント部で作成される再注文票の一例を模式的に示す図である。
【００５０】
図３に示すように、写真１１６ａの裏面には、まず、図示しない表面にプリントされた画像を表わす画像データを特定する上記の特定情報と、その画像データがデータベースに保管されている保管期限を示す期限情報とを表わす特定コード１１６ａ＿１と、その特定コード１１６ａ＿１に隣接するようにプリントされた、その特定コード１１６ａ＿１が上記の特定情報および期限情報を表わすものである旨を示すコメント１１６ａ＿２と、上記の特定情報が示すファイル名（例えば、ＤＳＣ０００１．ＪＰＧ）１１６ａ＿３とがプリントされている。また、写真１１６ａの裏面には、表面にプリントされた画像に対する再注文時のプリントの代金支払に関する優遇情報として、２Ｌサイズを１枚に限り無料とする旨を表わすサービスコード１１６ａ＿４と、２Ｌサイズを１枚に限り無料とする旨を示すコメント１１６ａ＿５とがプリントされている。ここで、上記の２種類のコード１１６ａ＿１，１１６ａ＿４は、互いに異なる色でプリントされている。
【００５１】
また、図４に示すように、再注文票１１６ｂには、複数種類のプリントサイズ＆枚数情報それぞれを表わす複数種類のプリントサイズ＆枚数コード１１６ｂ＿１と、複数種類の受取場所情報それぞれを表わす複数種類の受取場所コード１１６ｂ＿２と、複数種類の画像処理情報それぞれを表わす複数種類の画像処理コード１１６ｂ＿３と、ＣＤ−ＲＯＭ注文指示指示コード１１６ｂ＿４が、各コードが表わす内容を示すコメントと共にプリントされている。
【００５２】
尚、本実施形態は、再注文時に利用される複数種類のコードが、写真の裏面と上記の再注文票とにプリントされるという形態であるが、本発明はこの形態に限るものではなく、例えば、ある写真の再注文時に必要と思われる最小限のコードが、その写真の裏面にプリントされるという形態であってもよい。
【００５３】
図５は、再注文時に必要と思われる最小限のコードがプリントされた写真の裏面の一例を示す図である。
【００５４】
図５に示す写真５００の裏面には、上記の特定情報および期限情報を表わす特定コード５１０と、上記の優遇情報を表わすサービスコード５２０と、再注文時に最低限必要と思われる複数種類のプリントサイズ＆枚数情報それぞれを表わす複数種類のプリントサイズ＆枚数コード５３０と、複数種類の受取場所情報それぞれを表わす複数種類の受取場所コード５４０と、複数種類の画像処理情報それぞれを表わす複数種類の画像処理コード５５０とが、各コードが表わす内容を示すコメントと共にプリントされている。このように写真５００の裏面に、再注文時に必要と思われる最小限のコードが全てプリントされていると、大型サイズの写真や枚数の多いプリント等といった特別な場合を除く通常の再注文については、注文者は写真５００の裏面のみを用いて再注文を行なうことができる。一方、上記の再注文票を利用する本実施形態には、写真の裏面に比べて広い紙面に、上記のような特別な場合に対応するコードを含む様々なコードがプリントされた再注文票を用意することができるという利点がある。
【００５５】
以下、本実施形態に戻って説明を続ける。
【００５６】
次に、図１に示す携帯電話２００の各構成要素について説明する。
【００５７】
図６は、図１に示す携帯電話を示す機能ブロック図である。
【００５８】
図６に示す携帯電話２００は、撮影部２１０と情報解読部２２０と警告部２３０と記憶部２４０と送信部２５０と表示部２６０と情報取得部２７０とコード作成部２８０とメディアコントローラ２９０とを有している。ここで、撮影部２１０、情報解読部２２０、および送信部２５０は、それぞれ本発明にいう読取部、情報解読部、および送信部の各一例に相当する。
【００５９】
この携帯電話２００の撮影部２１０は、画像を表わす画像データを撮影によって取得するデジタルスチルカメラの機能を担う。この携帯電話２００では、上述したように、注文者は、この撮影部２１０によって、プリントを依頼する画像を表わす画像データを取得しても良い。また、過去にプリントが注文された、図１に示すデータベース１１１に保管されている画像データが表わす画像について、焼増し等といったプリントの再注文を、過去におけるプリントの注文時に入手した写真の裏面および再注文票にプリントされている上述の複数種類のコードを用いて行なう際には、注文者は、この撮影部２１０を操作してこのコードを撮影する。
【００６０】
このプリントの再注文の際には、撮影部２１０によって、まず、上記の写真の裏面にプリントされている、上述の特定コードが撮影される。また、その写真の裏面に上述のサービスコードがプリントされており、注文者がそのサービスコードが表わすサービスを望む場合には、そのサービスコードも撮影される。さらに、図４に示す再注文票１１６ｂにプリントされている、複数種類の注文情報それぞれを表わすコードのうち、注文者が所望するプリントサイズおよびプリント枚数を表わすプリントサイズ＆枚数コードと、注文者が所望する受取場所を表わす受取場所コードと、注文者が所望する画像処理を表わす画像処理コードとが撮影され、また、注文者が画像データのＣＤ−ＲＯＭへの記録を希望する場合にはＣＤ−ＲＯＭ注文指示コードも撮影される。
【００６１】
携帯電話２００の情報解読部２２０では、プリントの再注文の際に、撮影部２１０によって撮影された上記の各コードが解読され、各コードが表わす、特定情報、期限情報、優遇情報、プリントサイズ＆枚数情報、受取場所情報、画像処理情報、およびＣＤ−ＲＯＭ注文指示情報が取得される。
【００６２】
携帯電話２００の警告部２３０では、現在の日付と、情報解読部２２０によって得られた期限情報が示す保管期限とが比較される。そして、現在の日付がその保管期限を過ぎている場合には、警告部２３０は、表示部２６０に保管期限を過ぎている旨を警告するメッセージを表示させる。さらに、この場合には、警告部２３０は、上記の特定情報が示す、画像データのファイル名で記憶部２４０内を検索する。そして、そのファイル名の画像データが記憶部２４０内に存在する場合には、注文者からの指示を受けて、その画像データが読出されて送信部２５０に送られる。また、そのファイル名の画像データが記憶部２４０内に存在しない場合には、警告部２３０は、その旨を示すメッセージを表示部２６０に表示させる。
【００６３】
携帯電話２００の記憶部２４０には、撮影部２１０における撮影によって取得された画像データや、メディアコントローラ２９０によって記録メディア２９０ａから読み出された画像データや、携帯電話２００の持主によって登録される、その持主の氏名、住所、および電話番号等を示す持主情報等が記憶される。
【００６４】
携帯電話２００の送信部２５０では、情報解読部２２０によって得られた特定情報、期限情報、優遇情報、プリントサイズおよびプリント枚数を示す注文情報、所望の受取場所を示す注文情報、所望の画像処理を示す注文情報、およびＣＤ−ＲＯＭへの記録を希望する旨を示す注文情報と、注文者を特定する注文者情報とを含むプリント依頼データが生成され、そのプリント依頼データが図１に示す通信会社３００および通信ネットワーク４００を介してプリントシステム１００に送信される。ここで、この送信部２５０では、プリント依頼データの生成時には、記憶部２４０から上記の持主情報が注文者情報として読み出されて、そのプリント依頼データが生成される。
【００６５】
携帯電話２００の表示部２６０では、撮影部２１０における撮影によって取得された画像データが表わす画像や、警告部２３０から表示を指示されるメッセージ等といった各種の情報が表示される。
【００６６】
携帯電話２００の情報取得部２７０では、注文者（携帯電話２００の持主）の操作によって、上記の持主情報や、コード作成部２８０にコードを作成させる情報等が取得される。
【００６７】
携帯電話２００のコード作成部２８０では、情報取得部２７０によって取得された情報のうち、注文者の操作によって指定された情報を表わすコードが作成される。
【００６８】
携帯電話２００のメディアコントローラ２９０では、撮影部２１０における撮影によって取得された画像データや、コード作成部２８０によって作成されたコード等が記録メディア２９０ａに記録され、また、逆に記録メディア２９０ａに記録された画像データ等が読み出される。
【００６９】
以上で、注文システム１０の各構成要素についての説明を終了し、以下では、携帯電話２００で実行されるプリントの再注文処理と、プリントシステム１００および携帯電話２００で実行されるコードの作成処理について図７〜図１６のフローチャートを参照して説明する。ここで、以下の説明では図１〜図６を適宜に参照する。
【００７０】
まず、プリントの再注文処理について説明する。
【００７１】
図７は、プリントの再注文処理を示すフローチャートである。
【００７２】
図７のフローチャートが示すプリントの再注文処理は、注文者が、携帯電話２００に所定の操作によってプリントの再注文を指示するとスタートする。
【００７３】
この再注文処理がスタートすると、まず、再注文を希望する写真の裏面にプリントされている特定コードの撮影を促すメッセージが注文者に示され、そのメッセージに従った特定コードの撮影と、撮影された特定コードのデコードが実行される（ステップＳ１００）。
【００７４】
そして、まずそのデコード結果から上記の特定情報が取得され、その特定情報が示す、再注文を希望する画像を表わす画像データのファイル名が正しいか否かを問うメッセージが注文者に示される（ステップＳ１５０）。注文者が、それらのコード内容が誤っている旨を操作によって携帯電話２００に伝えた場合（ステップＳ１５０におけるＮｏ判定）には、ステップＳ１００の処理の前まで戻り、特定コードの撮影とデコードが再度実行される。一方、注文者が、それらのコード内容が正しい旨を操作によって携帯電話２００に伝えた場合（ステップＳ１５０におけるＹｅｓ判定）には、次の処理（ステップＳ２００）へ進む。
【００７５】
ステップＳ２００では、特定コードのデコード結果から上記の期限情報が取得され、その期限情報が示す保管期限によって再注文処理を続けるか否かが判断されるという再注文判断処理が実行される。
【００７６】
以下では、この保管期限による再注文判断処理について別図を参照して説明する。
【００７７】
図８は、保管期限による再注文判断処理を示すフローチャートである。
【００７８】
図８のフローチャートが示す処理がスタートすると、まず、特定コードのデコード結果から上記の期限情報が取得される（ステップＳ２１０）。そして、現在の月日が、期限情報が示す保管期限以前であるか否かが判定される（ステップＳ２２０）。ステップＳ２２０の処理において、現在の月日が保管期限以前であると判定された場合（ステップＳ２２０の処理におけるＹｅｓ判定）には、図７のフローチャートが示す処理に戻って再注文処理が続行される（ステップＳ２３０）。一方、現在の月日が保管期限を過ぎていると判定された場合（ステップＳ２２０の処理におけるＮｏ判定）には、「保管期限切れ」とのメッセージが注文者に示される（ステップＳ２４０）。さらに、この場合には、図７のフローチャートにおけるステップＳ１５０の処理において取得された特定情報が示す画像データのファイル名が用いられて、携帯電話２００の記憶部２４０が検索され、そのファイル名の画像データが記憶部２４０に存在した場合には、その画像データが用いられて上記の再注文処理が続行されるという再注文不可処理が実行される（ステップＳ２５０）。
【００７９】
以下、この再注文不可処理について別図を参照して説明する。
【００８０】
図９は、再注文不可処理を示すフローチャートである。
【００８１】
図９のフローチャートが示す処理がスタートすると、まず、上記の画像データのファイル名が用いられて、携帯電話２００の記憶部２４０が検索される（ステップＳ２５１）。そして、そのファイル名の画像データが記憶部２４０に存在するか否かが判定される（ステップＳ２５２）。そのファイル名の画像データが記憶部２４０に存在しないと判定された場合（ステップＳ２５２におけるＮｏ判定）には、「画像データ無し」とのメッセージが注文者に示され（ステップＳ２５３）、図７のフローチャートが示す再注文処理が終了される（ステップＳ２５４）。ステップＳ２５２の処理において、上記のファイル名の画像データが記憶部２４０に存在すると判定された場合（ステップＳ２５２におけるＹｅｓ判定）には、上記の再注文処理を続行するか否かを問うメッセージが注文者に示される（ステップＳ１５０）。注文者が、再注文処理を続行しない旨を操作によって携帯電話２００に伝えた場合（ステップＳ２５５におけるＮｏ判定）には、上記のステップＳ２５４の処理が実行されて再注文処理が終了される。一方、注文者が、再注文処理を続行する旨を操作によって携帯電話２００に伝えた場合（ステップＳ２５５におけるＹｅｓ判定）には、上記のファイル名の画像データが記憶部２４０から読み出され（ステップＳ２５６）、図７のフローチャートが示す処理に戻って再注文処理が続行される（ステップＳ２５７）。
【００８２】
以上で、図７のフローチャートにおける保管期限による再注文判断（ステップＳ２００）の説明を終了し、再び、図７に戻って、再注文処理の続きについて説明する。
【００８３】
上述の再注文判断（ステップＳ２００）において、再注文処理の続行が決定されると、次に、再注文票にプリントされているプリントサイズ＆枚数コードのうちの所望のコードの撮影を促すメッセージが注文者に示され、そのメッセージに従った、所望のプリントサイズ＆枚数コードの撮影と、撮影されたプリントサイズ＆枚数コードのデコードが実行される（ステップＳ３００）。そして、そのデコード結果が示すプリントサイズおよびプリント枚数が所望のものであるか否かの確認を促すメッセージが注文者に示される（ステップＳ３５０）。注文者が、それらのプリントサイズおよびプリント枚数が所望のものではない旨を操作によって携帯電話２００に伝えた場合（ステップＳ３５０におけるＮｏ判定）には、ステップＳ３００の処理の前まで戻り、プリントサイズ＆枚数コードの撮影とデコードが再度実行される。一方、注文者が、それらのプリントサイズおよびプリント枚数が所望のものである旨を操作によって携帯電話２００に伝えた場合（ステップＳ３５０におけるＹｅｓ判定）には、次の処理（ステップＳ４００）へ進む。
【００８４】
ステップＳ４００の処理では、再注文票にプリントされている画像処理コードのうちの所望の画像処理コードの撮影を促すメッセージが注文者に示され、そのメッセージに従った、所望の画像処理コードの撮影と、撮影された画像処理コードのデコードが実行される。そして、そのデコード結果が示す画像処理が所望のものであるか否かの確認を促すメッセージが注文者に示される（ステップＳ４５０）。注文者が、その画像処理が所望のものではない旨を操作によって携帯電話２００に伝えた場合（ステップＳ４５０におけるＮｏ判定）には、ステップＳ４００の処理の前まで戻り、画像処理コードの撮影とデコードが再度実行される。一方、注文者が、その画像処理が所望のものである旨を操作によって携帯電話２００に伝えた場合（ステップＳ４５０におけるＹｅｓ判定）には、次の処理（ステップＳ４６０）へ進む。
【００８５】
ステップＳ４６０の処理では、携帯電話２００の表示部２６０に、再注文を希望する写真の裏面に、上記のサービスコードがプリントされているか否か、あるいはサービスコードがプリントされている場合にそのサービスコードが表わすサービス内容を希望するか否かを問うメッセージが注文者に示される。上記のサービスコードがプリントされており、かつそのサービスコードが表わすサービス内容を希望する旨を注文者が操作によって携帯電話２００に伝えた場合（ステップＳ４６０におけるＹｅｓ判定）には、次の処理（ステップＳ５００）へ進む。一方、サービスコードがプリントされていないか、あるいはサービスコードが表わすサービス内容を希望しない旨を操作によって携帯電話２００に伝えた場合（ステップＳ４６０におけるＮｏ判定）には、後述のステップＳ５６０の処理の前まで処理がとばされる。
【００８６】
ステップＳ５００の処理では、上記のサービスコードの撮影を促すメッセージが注文者に示され、そのメッセージに従ったサービスコードの撮影と、撮影されたサービスコードのデコードが実行される。そして、そのデコード結果が示すサービス内容が正しいか否かの確認を促すメッセージが注文者に示される（ステップＳ５５０）。注文者が、そのサービス内容が誤っている旨を操作によって携帯電話２００に伝えた場合（ステップＳ５５０におけるＮｏ判定）には、ステップＳ５００の処理の前まで戻り、サービスコードの撮影とデコードが再度実行される。一方、注文者が、そのサービス内容が正しい旨を操作によって携帯電話２００に伝えた場合（ステップＳ５５０におけるＹｅｓ判定）には、次の処理（ステップＳ５６０）へ進む。
【００８７】
ステップＳ５６０の処理では、上述した各コード以外にも、例えば画像データのＣＤ−ＲＯＭへの記録を指示する旨を表わすＣＤ−ＲＯＭ注文指示コード等といった、撮影を希望するコードが他にあるか否かを問うメッセージが注文者に示される。撮影を希望するコードがある旨を注文者が操作によって携帯電話２００に伝えた場合（ステップＳ５６０におけるＹｅｓ判定）には、次の処理（ステップＳ６００）へ進む。一方、撮影を希望するコードがない旨を注文者が操作によって携帯電話２００に伝えた場合（ステップＳ５６０におけるＮｏ判定）には、後述のステップＳ６６０の処理の前まで処理がとばされる。
【００８８】
ステップＳ６００の処理では、撮影を希望するコードの撮影を促すメッセージが注文者に示され、そのメッセージに従ったコードの撮影と、撮影されたコードのデコードが実行される。そして、そのデコード結果が正しいか否かの確認を促すメッセージが注文者に示される（ステップＳ６５０）。注文者が、そのデコード結果が誤っている旨を操作によって携帯電話２００に伝えた場合（ステップＳ６５０におけるＮｏ判定）には、ステップＳ６００の処理の前まで戻り、上記のコードの撮影とデコードが再度実行される。一方、注文者が、そのデコード結果が正しい旨を操作によって携帯電話２００に伝えた場合（ステップＳ６５０におけるＹｅｓ判定）には、次の処理（ステップＳ６６０）へ進む。
【００８９】
ステップＳ６６０の処理では、再注文を希望する写真が他にもあるか否かを問うメッセージが注文者に示される。注文者が、再注文を希望する写真が他にもある旨を操作によって携帯電話２００に伝えた場合（ステップＳ６６０におけるＹｅｓ判定）には、ステップＳ１００の処理の前まで戻り、ステップＳ１００〜ステップＳ６５０の処理が繰り返される。注文者が、再注文を希望する写真は他にはない旨を操作によって携帯電話２００に伝えた場合（ステップＳ６６０におけるＮｏ判定）には、次の処理（ステップＳ６７０）へ進む。
【００９０】
ステップＳ６７０の処理では、ステップＳ１００〜ステップＳ６５０の処理で取得された、画像データのファイル名、プリントサイズ＆枚数情報、画像処理情報、サービス情報、およびその他の情報（例えば、ＣＤ−ＲＯＭへの記録の指示を示す情報）を含むプリント情報が作成される。さらに、再注文を希望する写真が複数ある場合には、各写真に対応する複数のプリント情報が作成される。そして、作成されたプリント情報が、携帯電話２００の記憶部２４０に記憶される。
【００９１】
次に、注文者が写真を受け取る際の受取場所が指定される受取処理（ステップＳ７００）が実行される。
【００９２】
以下では、この受取処理について別図を参照して説明する。
【００９３】
図１０は、受取処理を示すフローチャートである。
【００９４】
図１０のフローチャートが示す処理がスタートすると、まず、注文者が写真を受け取る際の受取方法を、写真店で受け取る店頭受取、写真店以外の場所で受け取るその他の受取方法、および郵送といった３種類の受取方法の中から選択するように促すメッセージが注文者に示され、そのメッセージに従った選択操作が実行される（ステップＳ７１０）。
【００９５】
次に、ステップＳ７１０における選択結果が上記の店頭受取であるか否かが判定される（ステップＳ７１５）。その選択結果が店頭受取であると判定された場合（ステップＳ７１５におけるＹｅｓ判定）には、再注文票にプリントされている受取場所コードのうちの所望の写真店での受取を表わす受取場所コードの撮影を促すメッセージが注文者に示され、そのメッセージに従った所望の受取場所コードの撮影と、撮影された受取場所コードのデコードが実行され（ステップＳ７２０）、次の処理（ステップＳ７４０）に進む。一方、上記の選択結果が店頭受取ではないと判定された場合（ステップＳ７１５におけるＮｏ判定）には、その選択結果が上記のその他の受取方法であるか否かが判定され（ステップＳ７２５）る。その選択結果がその他の受取方法であると判定された場合（ステップＳ７２５におけるＹｅｓ判定）には、再注文票にプリントされている受取場所コードのうちの所望の受取場所での受取を表わす受取場所コードの撮影を促すメッセージが注文者に示され、そのメッセージに従った所望の受取場所コードの撮影と、撮影された受取場所コードのデコードが実行され（ステップＳ７３０）、次の処理（ステップＳ７４０）に進む。
【００９６】
ステップＳ７４０の処理では、ステップＳ７２０あるいはステップＳ７３０の処理におけるデコード結果が示す受取場所が所望の受取場所であるか否かの確認を促すメッセージが注文者に示される（ステップＳ７４０）。注文者が、その受取場所が所望の受取場所ではない旨を操作によって携帯電話２００に伝えた場合（ステップＳ７４０におけるＮｏ判定）には、ステップＳ７１０の処理の前まで戻り、上記の受取方法の選択と、コードの撮影およびデコードが再度実行される。一方、注文者が、上記の受取場所が所望の受取場所である旨を操作によって携帯電話２００に伝えた場合（ステップＳ７４０におけるＹｅｓ判定）には、次の処理（ステップＳ７６０）へ進む。
【００９７】
一方、上記のステップＳ７２５の処理において、上記の選択結果がその他の受取方法でもないと判定された場合（ステップＳ７２５におけるＮｏ判定）には、注文者によって選択された受取方法は郵送であるので、その郵送の際の郵送先として携帯電話２００の持主の氏名、住所、および電話番号等を示す持主情報が記憶部２４０から読み出される（ステップＳ７４５）。そして、上記の郵送先が、読み出された持主情報が示す、携帯電話２００の持主で良いか否かを問うメッセージが注文者に示される（ステップＳ７５０）。郵送先が携帯電話２００の持主とは異なる旨を操作によって携帯電話２００に伝えた場合（ステップＳ１５０におけるＮｏ判定）には、所望の郵送先を入力するように促すメッセージが注文者に示され、そのメッセージに従った郵送先の入力操作が実行される（ステップＳ７５５）。ここで、携帯電話２００は、図６に示すようにコード作成部２８０を有しており、注文者は、このコード作成部２８０によって、所望の郵送先を表わすコードを予め作成しておくことができる。そして、ステップＳ７５５の処理では、この予め作成しておいたコードの撮影という簡単な操作によって郵送先を入力しても良い。ステップＳ７４５〜ステップＳ７５５の処理によって郵送先が指定されると、次のステップＳ７６０に進む。
【００９８】
ステップＳ７６０の処理では、ステップＳ７１０〜ステップＳ７５５の処理によって指定された、注文者が所望する受取方法と受取場所（所望の受取方法が郵送であった場合は郵送先）を示す受取情報が作成され、その受取情報が携帯電話２００の記憶部２４０に記憶される（ステップＳ７６０）。
【００９９】
このステップＳ７６０の処理が終了すると、図７のフローチャートが示す再注文処理に戻る。そして、このフローチャートにおける、プリントの代金を支払う際の支払方法を指定する支払処理（ステップＳ８００）が実行される。
【０１００】
図１１は、支払処理を示すフローチャートである。
【０１０１】
図１１のフローチャートが示す処理がスタートすると、代金を写真店で支払う店頭支払、インターネット等といった通信ネットワーク上で支払う電子支払、および振込支払といった３種類の支払方法の中から支払方法を選択するように促すメッセージが注文者に示され、そのメッセージに従った支払方法の入力操作が実行される（ステップＳ８１０）。そして、注文者が所望する支払方法が、ステップＳ８１０における選択結果が示す支払方法で良いか否かの確認を促すメッセージが注文者に示される（ステップＳ８２０）。注文者が、所望の支払方法が上記の選択結果が示す支払方法ではない旨を操作によって携帯電話２００に伝えた場合（ステップＳ８２０におけるＮｏ判定）には、ステップ８１０の処理の前まで戻り、上記の支払方法の選択が再度実行される。一方、注文者が、所望の支払方法が上記の選択結果が示す支払方法で良い旨を操作によって携帯電話２００に伝えた場合（ステップＳ８２０におけるＹｅｓ判定）には、その所望の支払方法を示す支払情報が生成され、その支払情報が携帯電話２００の記憶部２４０に記憶される（ステップＳ８３０）。
【０１０２】
このステップＳ８３０の処理が終了すると、図７のフローチャートが示す再注文処理に戻る。そして、このフローチャートにおけるステップＳ１００〜ステップＳ８００の処理で取得された各情報を含むプリント依頼データの送信を実行する送信処理（ステップＳ９００）が実行される。
【０１０３】
図１２は、送信処理を示すフローチャートである。
【０１０４】
図１２のフローチャートが示す処理がスタートすると、まず、今回、プリントを注文する注文者を示す注文者情報として、上述の持主情報が携帯電話２００の記憶部２４０から読み出される（ステップＳ９１０）。さらに、その記憶部２４０から、図７のフローチャートにおけるステップＳ６７０の処理で作成されたプリント情報と、ステップＳ７００の受取処理で作成された受取情報と、ステップＳ８００の支払処理で作成された支払情報とが読み出され、これらの情報と、上記の注文者情報とから、今回のプリントの再注文に関わる各種情報を示すプリント依頼データが作成される（ステップＳ９２０）。そして、このプリント依頼データが示す各種情報の内容が、注文者が所望する内容であるか否かの確認を促すメッセージが注文者に示される（ステップＳ９３０）。注文者が、このプリント依頼データが示す各種情報の内容が所望の内容ではない旨を操作によって携帯電話２００に伝えた場合（ステップＳ９３０におけるＮｏ判定）には、このプリント依頼データに対する編集が注文者によって行なわれ（ステップＳ９４０）、ステップＳ９３０の処理によるプリント依頼データ示す各種情報の内容確認が再度実行される。一方、注文者が、上記のプリント依頼データが示す各種情報の内容が所望の内容である旨を操作によって携帯電話２００に伝えた場合（ステップＳ９３０におけるＹｅｓ判定）には、そのプリント依頼データが、携帯電話２００の送信部２５０から送信される。
【０１０５】
以上、図７〜図１２を参照して説明した、携帯電話２００を用いた再注文処理によれば、注文者は、所望の情報を表わすコードの撮影という簡単な操作によってプリントの再注文を実行することができる。
【０１０６】
次に、図１に示すプリントシステム１１０におけるコード作成部１１４、あるいは図６に示す携帯電話２００におけるコード作成部２８０で実行される各種コードの作成処理について、図１３〜図１６のフローチャートを参照して説明する。ここで、以下の説明では図１〜図６を適宜に参照する。
【０１０７】
図１３は、コードの作成処理を示すフローチャートである。
【０１０８】
図１３のフローチャートが示すコードの作成処理は、プリントシステム１１０におけるラボシステム１１０のオペレータ、あるいは携帯電話２００のオペレータ（注文者）が、それぞれラボシステム１１０あるいは携帯電話２００に所定の操作によって各種コードの作成を指示するとスタートする。
【０１０９】
このコードの作成処理がスタートすると、まず、ラボシステム１１０あるいは携帯電話２００のオペレータに対して、これから作成するコードの種別を、それぞれ後述するコンテンツコードとアクションコードとコミュニケーションコードとの３つの種別の中から選択するように促すメッセージが、ラボシステム１１０のオペレータ、あるいは携帯電話２００を操作している注文者に示される（ステップＳ１１００）。
【０１１０】
ここで、上記のコンテンツコードは、プリント対象の画像そのものに関わる情報を表わすコードであり、本実施形態では、上述した特定コードがこのコンテンツコードに相当する。また、上記のアクションコードは、プリントサイズやプリント枚数および画像処理等といった、プリント時に実施される処理に関わる情報を表わすコードであり、本実施形態では、上述したプリントサイズ＆枚数コード、受取場所コード、画像処理コード、サービスコード、およびＣＤ−ＲＯＭ注文指示コードがこのアクションコードに相当する。さらに、上記のコミュニケーションコードは、注文者同士あるいは注文者と写真店との間のコミュニケーションに関わる情報を表わすコードであり、本実施形態では、図１０のフローチャートにおけるステップＳ７５５において用いられる、郵送先を表わすコードがこのコミュニケーションコードの一例に相当する。例えば、ラボシステム１１０においてプリントを実行するときには、上述したように、このラボシステム１１０のコード作成部１１４で作成されるコードは上記の特定コードであるので、ラボシステム１１０のオペレータは、上記のコード種別としてコンテンツコードを選択することとなる。また、ラボシステム１１０において上述のプリントサイズ＆枚数コード、受取場所コード、画像処理コード、サービスコード、およびＣＤ−ＲＯＭ注文指示コードを作成するときには、オペレータは、コード種別としてアクションコードを選択することとなる。さらに、例えば、携帯電話２００を操作している注文者が、上記の郵送先を表わすコード等を作成するときには、この注文者はコード種別としてコミュニケーションコードを選択することとなる。
【０１１１】
上記のステップＳ１１００の次には、まず、ステップＳ１１００における選択結果がコンテンツコードであるか否かが判定される（ステップＳ１２００）。その選択結果がコンテンツコードであると判定された場合（ステップＳ１２００におけるＹｅｓ判定）には、後述するコンテンツコードの作成処理（ステップＳ１３００）が実行される。一方、上記の選択結果がコンテンツコードではないと判定された場合（ステップＳ１２００におけるＮｏ判定）には、その選択結果がアクションコードであるか否かが判定される（ステップＳ１３００）。そして、上記の選択結果がアクションコードであると判定された場合（ステップＳ１４００におけるＹｅｓ判定）には、後述するアクションコードの作成処理（ステップＳ１５００）が実行される。一方、上記の選択結果がアクションコードではないと判定された場合（ステップＳ１４００におけるＮｏ判定）には、その選択結果はコミュニケーションコードであるので、後述するコミュニケーションコードの作成処理（ステップＳ１６００）が実行される。
【０１１２】
以下では、上記のコンテンツコードの作成処理、アクションコードの作成処理、およびコミュニケーションコードの作成処理についてそれぞれ別図を参照して説明する。
【０１１３】
まず、コンテンツコードの作成処理について説明する。
【０１１４】
図１４は、コンテンツコードの作成処理を示すフローチャートである。ここで、この図１４のフローチャートが示す処理で最終的に得られるコードは、プリント対象の画像データのファイル名と、その画像データが保管されているデータベースを示す保管場所情報とからなる特定情報と、その画像データが保管される期限を示す期限情報とを表わす特定コードである。また、上述のように、コンテンツコードはラボシステム１１０で作成されるものであるので、以下では、この図１４のフローチャートが示す処理は、ラボシステム１１０で実行されることを前提として説明する。
【０１１５】
図１４のフローチャートが示す処理がスタートすると、まず、プリント対象の画像データが撮影によって取得されたときにその画像データに付されたファイル名が取得される（ステップＳ１３１０）。次に、その画像データが保管されているデータベースを示す保管場所情報が取得される（ステップＳ１３２０）。さらに、その画像データが図１に示す注文受取部１４０によって受け取られた注文受付日を示す情報が取得され、その情報が示す注文受付日から２週間後にあたる保管期限が算出される（ステップＳ１３３０）。次に、上記の特定コードとともにプリントされるコメントの入力を促すメッセージがラボシステム１１０のオペレータに示され、そのメッセージに従った、コメントの入力操作が実行される（ステップＳ１３４０）。
【０１１６】
そして、ステップＳ１３１０〜ステップＳ１３４０の処理によって取得された各情報およびコメントを編集するか否かを問うメッセージがオペレータに示される（ステップＳ１３５０）。オペレータが、それら各情報およびコメントを編集する旨を操作によってラボシステム１１０に伝えた場合（ステップＳ１３５０におけるＮｏ判定）には、それら各情報およびコメントに対する編集が行なわれ（ステップＳ１３６０）、ステップＳ１３５０の処理による上記の各情報およびコメントの内容確認が再度実行される。一方、オペレータが、それら各情報およびコメントを編集しない旨を操作によってラボシステム１１０に伝えた場合（ステップＳ１３５０におけるＹｅｓ判定）には、上記の各情報がコード化される（ステップＳ１３７０）。次に、コード化の対象が他にもあるか否かを問うメッセージがオペレータに示される（ステップＳ１３８０）。オペレータが、コード化の対象が他にもある旨を操作によってラボシステム１１０に伝えた場合（ステップＳ１３８０におけるＹｅｓ判定）には、ステップＳ１３１０〜ステップＳ１３７０の処理が繰り返され、オペレータが、コード化の対象が他にはない旨を操作によってラボシステム１１０に伝えた場合（ステップＳ１３８０におけるＮｏ判定）には、図１３のフローチャートが示すコードの作成処理に戻る。
【０１１７】
次に、アクションコードの作成処理について説明する。
【０１１８】
図１５は、アクションコードの作成処理を示すフローチャートである。ここで、この図１５のフローチャートが示す処理で最終的に得られるコードは、上述した、プリントサイズ＆枚数コード、受取場所コード、画像処理コード、サービスコード、およびＣＤ−ＲＯＭ注文指示コードである。これらのコードはラボシステム１１０で作成されるものであるので、以下では、この図１５のフローチャートが示す処理は、ラボシステム１１０で実行されることを前提として説明する。
【０１１９】
図１５のフローチャートが示す処理がスタートすると、まず、この処理によってコード化される被コード化情報の入力を促すメッセージがオペレータに示され、そのメッセージに従った、被コード化情報の入力操作が実行される（ステップＳ１５１０）。ここで、ステップＳ１５１０の処理において、オペレータによって入力される被コード化情報は、上述した、プリントサイズおよびプリント枚数、受取場所、画像処理、代金支払上の優遇情報、およびＣＤ−ＲＯＭへの記録指示という各注文情報のうちの所望の１つである。次に、最終的に得られるコードとともにプリントされるコメントの入力を促すメッセージがラボシステム１１０のオペレータに示され、そのメッセージに従った、コメントの入力操作が実行される（ステップＳ１５２０）。
【０１２０】
そして、ステップＳ１５１０およびステップＳ１５２０の処理によって取得された被コード化情報およびコメントを編集するか否かを問うメッセージがオペレータに示される（ステップＳ１５３０）。オペレータが、被コード化情報およびコメントを編集する旨を操作によってラボシステム１１０に伝えた場合（ステップＳ１５３０におけるＮｏ判定）には、それらの被コード化情報およびコメントに対する編集が行なわれ（ステップＳ１５４０）、ステップＳ１５３０の処理による被コード化情報およびコメントの内容確認が再度実行される。一方、オペレータが、被コード化情報およびコメントを編集しない旨を操作によってラボシステム１１０に伝えた場合（ステップＳ１５３０におけるＹｅｓ判定）には、上記の各情報がコード化される（ステップＳ１５５０）。次に、被コード化情報が他にもあるか否かを問うメッセージがオペレータに示される（ステップＳ１５６０）。オペレータが、被コード化情報が他にもある旨を操作によってラボシステム１１０に伝えた場合（ステップＳ１５６０におけるＹｅｓ判定）には、ステップＳ１５１０〜ステップＳ１５５０の処理が繰り返され、オペレータが、被コード化情報が他にはない旨を操作によってラボシステム１１０に伝えた場合（ステップＳ１５６０におけるＮｏ判定）には、図１３のフローチャートが示すコードの作成処理に戻る。
【０１２１】
次に、コミュニケーションコードの作成処理について説明する。
【０１２２】
図１６は、コミュニケーションコードの作成処理を示すフローチャートである。ここで、この図１６のフローチャートが示す処理は、図１５のフローチャートが示すアクションコードの作成処理とほぼ同等な処理である。そこで、図１６では、図１５に示す処理と同等な処理については図１５と同じ符号を付して重複説明を省略し、以下では、図１５との相違点について説明する。
【０１２３】
図１６のフローチャートが示す処理は携帯電話２００で実行されるものであり、その処理がスタートすると、まず、この処理によってコード化される被コード化情報の入力を促すメッセージが、携帯電話２００を操作している注文者に示され、そのメッセージに従った、被コード化情報の入力操作が実行される（ステップＳ１６１０）。ここで、ステップＳ１６１０の処理において、注文者によって入力される被コード化情報は、例えば人物の氏名、住所、電話番号等といった、注文者同士あるいは注文者と写真店との間のコミュニケーションに関わる情報である。このステップＳ１６１０の処理の後は、図１５のフローチャートが示す処理と同様に、コメントの入力、被コード化情報およびコメントの確認、コード化、および処理を繰り返すか否かの確認が実行された後、図１３のフローチャートが示すコードの作成処理に戻る。
【０１２４】
再び、図１３に戻って説明を続ける。
【０１２５】
ステップ１３００あるいはステップＳ１５００あるいはステップＳ１６００の処理によって所望のコードが作成されると、まず、そのコードの出力先として、ラボシステム１１０におけるプリント部１１６およびデータベース１１１を指定するか、携帯電話２００における記録メディア２９０ａを指定するかを問うメッセージが、ラボシステム１１０のオペレータあるいは携帯電話２００を操作している注文者に示される。そして、現在、コードの作成処理に携わっている人物がラボシステム１１０のオペレータである場合には、コードの出力先として上記のプリント部１１６およびデータベース１１１がオペレータによって指定され、現在、コードの作成処理に携わっている人物が携帯電話２００を操作している注文者である場合には、コードの出力先として上記の記録メディア２９０ａが注文者によって指定される（ステップＳ１７００）。
【０１２６】
そして、ステップＳ１７００の処理において指定されたコードの出力先が、上記のプリント部１１６およびデータベース１１１であるか否かが判定され（ステップＳ１８００）、コードの出力先がプリント部１１６およびデータベース１１１である場合（ステップＳ１８００におけるＹｅｓ判定）には、作成されたコードがプリント部１１６で記録媒体にプリントされると共にデータベース１１１に記録され（ステップＳ１９００）処理が終了される。一方、コードの出力先がプリント部１１６およびデータベース１１１ではない場合（ステップＳ１８００におけるＹｅｓ判定）には、その出力先は上記の記録メディア２９０ａであるので、作成されたコードが記録メディア２９０ａに記録され（ステップＳ２０００）処理が終了される。
【０１２７】
以上、図１３〜図１６を参照して説明したコードの作成処理によれば、ラボシステム１１０のオペレータや、携帯電話２００を操作する注文者は、所望のコードを容易に作成することができる。
【０１２８】
尚、上記の説明では、本発明にいうプリント注文端末の一例として、撮影によって画像を表わす画像データを得るデジタルスチルカメラの機能と通信機能とを備えた、人物によって携帯可能な小型のプリント注文端末を挙げたが、本発明はこれに限るものではない。本発明のプリント注文端末は、例えば、コードのデコーダと、通信ネットワークに接続するためのコンピュータとからなるコンピュータシステム等であってもよい。
【０１２９】
また、上記の説明では、本発明にいうプリントシステムの一例として、上記の特定コードとサービスコードとが裏面にプリントされた写真と、プリントサイズ＆枚数コード等といったその他のコードがプリントされた再注文票とを作成するプリントシステムと、再注文に特に必要と思われる複数種類のコードが全て裏面にプリントされた写真を作成するプリントシステムとの２例を挙げて説明したが、本発明はこれに限るものではない。例えば、本発明のプリントシステムは、特定コードの他に、プリントサイズ＆枚数コードと受取場所コード等といった特定種類のコードが裏面にプリントされた写真と、それ以外のコードがプリントされた再注文票とを作成するものであってもよい。
【図面の簡単な説明】
【０１３０】
【図１】本発明の注文システムの一実施形態を示す図である。
【図２】図１に示すコード作成部によって作成されるコードの一例を示す図である。
【図３】図１に示すプリント部で作成される写真の裏面の一例を模式的に示す図である。
【図４】図１に示すプリント部で作成される再注文票の一例を模式的に示す図である。
【図５】再注文時に特に必要と思われる最小限のコードがプリントされた写真の裏面の一例を示す図である。
【図６】図１に示す携帯電話を示す機能ブロック図である。
【図７】プリントの再注文処理を示すフローチャートである。
【図８】保管期限による再注文判断処理を示すフローチャートである。
【図９】再注文不可処理を示すフローチャートである。
【図１０】受取処理を示すフローチャートである。
【図１１】支払処理を示すフローチャートである。
【図１２】送信処理を示すフローチャートである。
【図１３】コードの作成処理を示すフローチャートである。
【図１４】コンテンツコードの作成処理を示すフローチャートである。
【図１５】アクションコードの作成処理を示すフローチャートである。
【図１６】コミュニケーションコードの作成処理を示すフローチャートである。
【符号の説明】
【０１３１】
１０    注文システム
１００    プリントシステム
１１０，１２０，１３０，…    ラボシステム
１１１    データベース
１１２    画像入手部
１１３    画像処理部
１１４    コード作成部
１１４ａ    コード
１１４ａ＿１    切出しシンボル
１１５    コメント作成部
１１６    プリント部
１１６ａ    写真
１１６ａ＿１    特定コード
１１６ａ＿２，１１６ａ＿５    コメント
１１６ａ＿３    ファイル名
１１６ａ＿４    サービスコード
１１６ｂ    再注文票
１１６ｂ＿１    プリントサイズ＆枚数コード
１１６ｂ＿２    受取場所コード
１１６ｂ＿３    画像処理コード
１１６ｂ＿４    ＣＤ−ＲＯＭ注文指示指示コード
１１７    ＣＤ−ＲＯＭドライバ
１１７ａ    ＣＤ−ＲＯＭ
１４０    注文受取部
１５０    注文実行部
２００    携帯電話
２１０    撮影部
２２０    情報解読部
２３０    警告部
２４０    記憶部
２５０    送信部
２６０    表示部
２７０    情報取得部
２８０    コード作成部
２９０    メディアコントローラ
２９０ａ    記録メディア
３００    通信会社
４００    通信ネットワーク
５００    写真
５１０    特定コード
５２０    サービスコード
５３０    プリントサイズ＆枚数コード
５４０    受取場所コード
５５０    画像処理コード
【図１】
2005276037.tif 000003
【図２】
2005276037.tif 000004
【図３】
2005276037.tif 000005
【図４】
2005276037.tif 000006
【図５】
2005276037.tif 000007
【図６】
2005276037.tif 000008
【図７】
2005276037.tif 000009
【図８】
2005276037.tif 000010
【図９】
2005276037.tif 000011
【図１０】
2005276037.tif 000012
【図１１】
2005276037.tif 000013
【図１２】
2005276037.tif 000014
【図１３】
2005276037.tif 000015
【図１４】
2005276037.tif 000016
【図１５】
2005276037.tif 000017
【図１６】
2005276037.tif 000018